(57)【特許請求の範囲】
【請求項１】
枚葉印刷機に枚葉紙をうろこ状に給送する枚葉印刷機の給紙装置において、
積載されている前記枚葉紙を最上部から１枚ずつ分離する分離手段と、
分離された前記最上部の枚葉紙を吸引し前記枚葉印刷機へ給送する吸引給送手段と、
前記枚葉紙の給送方向と直交する方向の後部両端に設けられた紙押さえ手段とを具備し、
前記紙押さえ手段は、ばねの撓みによって荷重を調整可能にした微調整部と、前記枚葉紙に対する高さを複数段に亙って調整可能であるボールプランジャー式の高さ調節機構とからなる紙押さえ錘で構成されていることを特徴とする枚葉印刷機の給紙装置。
【発明の詳細な説明】
【技術分野】
【０００１】
本発明は、枚葉印刷機の給紙装置に関し、特に積層された枚葉紙を分離してうろこ状に重ねて給紙する枚葉印刷機の給紙装置に関する。
【背景技術】
【０００２】
枚葉印刷機の給紙装置として、積載された枚葉紙を上から順に１枚ずつ分離して搬送する構成が採用されている。
例えば、積層された枚葉紙の上層部に、後方からエアを吹きつけるブロアと、最上位の枚葉紙の後部を吸着して送り出すサクション装置を備えたものが報告されている。この従来例では、枚葉紙のばたつきを抑えるため、枚葉紙の吸着位置の両端に紙押さえ部材を設け、その長さ方向の重量を調整できるようにして、紙流れを良好にしている（特許文献１参照。）。
しかし、この紙押さえ部材は形状が給紙方向に伸びる帯状物であり、積層された枚葉紙をその下方に搬入させるときに、枚葉紙が傷つかないように注意を払わねばならないという問題を有している。又、形状が比較的大きく、この手のものとしては複雑であるので、コスト高になるという問題がある。
【０００３】
又、最上部のシート状物を吸着する吸口と、この吸口によって吸着されたシート状物を分離する吹足と、最上部のシート状物の下のシート状物を押さえる押え部と、最上部のシート状物とこの押え部によって押さえられた下のシート状物との間にエアーを吐出する吐出部とを設け、押え部のシート状物の幅方向の長さを、吹足のエアー吐出部のシート状物の幅方向の長さより短く形成したものが報告されている（特許文献２参照。）。
しかし、この装置では、枚葉紙両端の紙押え錘の荷重は自重のみで一定であり、枚葉紙の紙質、紙厚、紙サイズなどの異なるものを印刷する場合、ことに薄紙で比較的大きなサイズのものを印刷する場合に、枚葉紙の給送不良が発生する虞がある。
【０００４】
【特許文献１】特開２００４−１５５５０９号公報
【特許文献２】特開２００２−１７３２３８号公報
【発明の開示】
【発明が解決しようとする課題】
【０００５】
上述した従来例では、紙押え部材の荷重の調整が難しく、印刷対象の枚葉紙の種類によって荷重調整を行なわないと給送不良が発生する虞があった。又、荷重を調整するとしても、装置自身が複雑で操作し難く、大型になるという問題があった。  
本発明は、比較的容易な方法でこの問題を解決して、比較的簡単な構成で、積層した印刷対象の枚葉紙の分離を良好にし、枚葉紙に適した荷重を与えて、枚葉紙の給送を円滑且つ安全確実に行なうことができる枚葉印刷機の給紙装置を実現することを課題とする。
【課題を解決するための手段】
【０００６】
上記課題を解決するため、本発明の請求項1に記載の発明は、枚葉印刷機に枚葉紙をうろこ状に給送する枚葉印刷機の給紙装置において、積載されている前記枚葉紙を最上部から１枚ずつ分離する分離手段と、分離された前記最上部の枚葉紙を吸引し前記枚葉印刷機へ給送する吸引給送手段と、前記枚葉紙の給送方向と直交する方向の後部両端に設けられた紙押さえ手段とを具備し、前記紙押さえ手段は、ばねの撓みによって荷重を調整可能にした微調整部と、前記枚葉紙に対する高さを複数段に亙って調整可能であるボールプランジャー式の高さ調節機構とからなる紙押さえ錘で構成されていることを特徴とする。
これにより、印刷対象の枚葉紙に応じて紙押さえ手段の荷重を調整することができ、枚葉紙の給送を円滑、確実に行うことが可能な枚葉印刷機の給紙装置を実現することができる。
【０００７】
さらに、印刷対象の枚葉紙に応じて紙押さえ錘の荷重と押え高さを微妙に調整して、枚葉紙の給送を円滑、確実に行うことができるとともに、積載した枚葉紙を交換する際の高さの調整が短時間で可能になる。
【発明の効果】
【０００８】
本発明は、枚葉印刷機に用いられる給紙装置を以上のように構成したので、枚葉紙の分離を良くすると共に、印刷対象の枚葉紙に応じて紙押さえ手段の荷重を微妙に調整することができ、枚葉紙の給送を円滑、確実に行うことが可能な枚葉印刷機の給紙装置を実現することができる。
【発明を実施するための最良の形態】
【０００９】
本発明は、枚葉紙を順次うろこ状にして枚葉印刷機に給紙する給紙装置に関するもので有る。ことに、積層した枚葉紙の分離を良好にした給紙装置に関する。
【００１０】
以下、本発明を図にそって詳細に説明する。
図１は本発明の給紙装置の正面図である。この給紙装置は最上部の枚葉紙Ｐを吸引搬送する吸引給送手段１と、積層された枚葉紙Ｐの分離手段２と、積層された枚葉紙Ｐの両端部を押える紙押え手段３とから構成されて枚葉紙Ｐをエアブロア、さばき、吸い口などを用いて１枚ずつ分離し、分離した枚葉紙をうろこ状に重ねてフィーダーボードを介して枚葉印刷機に給紙する。図２は、吸引給送手段１の側面断面図である。又、図３は分離手段２の各要素の側面断面図である。図4は紙押え手段３の正面図、図５は紙押え手段３の側面断面図である。
【００１１】
図１ないし図５において、符号１は吸引給送手段、符号２は分離手段、符号３は紙押え手段、符号１１はサッカーヘッド本体、符号１２は第１吸口、符号１３は第２吸口、符号１４は紙押え、符号２１はさばき、符号２２はエアブロアの吹き足、符号２３は板ばね、符号２４はブラシ、符号２５は支持軸、符号３１は支持板、符号３１ａはブラケット、符号３２は紙押え錘、符号３２ａは押え板、符号３２ｂはボルト、符号３３は荷重調整ねじ軸、符号３３ａはねじ軸下端、符号３３ｂはねじ、符号３３ｃはボルト、符号３３ｄはナット材、符号３３ｅは押え板、符号３３ｆは高さ調整機構、符号３３ｇはつまみ、符号３４はばね、符号３５は止めねじ、符号３６は抜け落ち防止ストッパーである。
【００１２】
本発明の給紙装置では、枚葉紙Ｐをエアブロア、さばき２１、吸口１２、１３などによって、１枚ずつ分離し、分離した枚葉紙Ｐをうろこ状にして、フィーダーボードを介して枚葉印刷機に給紙している。
まず積層した枚葉紙Ｐを１枚ずつ分離するに際して、後方からエアブロアの吹き足２２でエアを吹きつけて最上層部の枚葉紙Ｐを分離する。
次いで、分離した枚葉紙Ｐを第１吸口１２で吸引する。さらに、第２吸口１３により分離した枚葉紙Ｐを吸引してフィーダーボードに給送する。
このとき、枚葉紙Ｐの送紙方向と直交する両端に、枚葉紙Ｐのばたつきや下側に積層されている枚葉紙Ｐの紙ずれを押えるために、紙押え錘３２を設ける。
【００１３】
給送に際し、枚葉紙Ｐの紙質、紙厚、紙サイズに応じて、エアブロア、さばき２１、吸口１２、１３の強さ調整と、枚葉紙Ｐに対する紙押え荷重の調整を適正に行なわないと、枚葉紙Ｐが斜めになって搬送されるなど、正しく給送されない虞がある。もし、正しく給送されないと、見当不良に伴う印刷不良が発生するという問題がある。
特に、比較的薄くサイズの大きい枚葉紙Ｐを印刷する場合、積層されている枚葉紙Ｐの上部に対してのエアブロアが強すぎると最上部の紙は勿論のこと、２枚目以下の枚葉紙Ｐもずれ動くという問題があった。それを防ぐには、紙押えを適正に行なわなければならない。
本発明はこのような問題を解決してフィーダーボードに枚葉紙Ｐを正しく給送するように考慮されているものである。
【００１４】
図１及び図２において、吸引給送手段１は、分離手段２で分離された枚葉紙Ｐを不図示のフィーダーボードを介して枚葉印刷機に給紙するものであり、枚葉紙Ｐは図２において、右から左方向に搬送される。なお、図２において２点鎖線示のサッカーヘッド本体は、紙サイズが異なった場合の例を示している。
吸引給送手段１は、サッカーヘッド本体１１、左右各１個ずつの第１吸口１２、左右各２個ずつの第２吸口１３及び枚葉紙Ｐの中央を押える紙押さえ１４などから構成されている。第２吸口１３は図２で左右に移動可能に設けられている。紙押さえ１４には、積層されている枚葉紙Ｐの高さを一定状態に保持するセンサーが組み込まれていて、枚葉紙Ｐの給送にしたがって上昇するようになっている。
【００１５】
分離手段２は、紙押さえ１４を中心にして、その左右にエアを吹出す各２個、合計４個のさばき２１、同じく左右にエアを吹出す各２個、合計４個の吹き足２２、積層された枚葉紙Ｐの上部を分離している間に紙がずれ動くのを防止する左右２個、合計４個の板ばね２３、同じく左右1個ずつ、合計２個のブラシ２４を備えている。さばき２１、吹き足２２、板ばね２３及びブラシ２４は、支持軸２５に軸方向に移動可能に取り付けられている。
支持軸２５は、吸引給送手段１のサッカーヘッド本体１１に取り付けられている。
【００１６】
吸引給送手段１の第１吸口１２は吹き足２２の前方に設けられている。第２吸口１３は、図２において左右方向に移動可能に形成され、第１吸口１２で吸引した枚葉紙Ｐを受け取って左方の印刷機方向に給送する。
【００１７】
図３において、（ａ）はさばき２１の拡大側面断面図、（ｂ）は吹き足２２の拡大側面断面図、（ｃ）は板ばね２３の拡大側面断面図、（ｄ）はブラシ２４の拡大側面断面図である。これらのさばき２１、吹き足２２、板ばね２３及びブラシ２４は公知のものである。
【００１８】
図４は、紙押え手段３の拡大正面図、図５は、紙押え手段３の拡大側面断面図である。
紙押え手段３は、枚葉紙Ｐの給紙方向と直交する方向の後部両端に、荷重調整可能に形成されているもので、前記支持軸２５の両端に各１個ずつ設けられている。
【００１９】
支持板３１は、枚葉紙Ｐの後端部の紙当てを兼ねており、この支持板３１はこれと一体のブラケット３１ａにより、支持軸２５上に移動可能に取り付けられている。
紙押え錘３２は、押え板３２ａと共に支持板３１を挟むようにボルト３２ｂで取り付けられており、支持板３１に対してスライドできるように形成されている。
【００２０】
荷重調整ねじ軸３３は、その下端３３ａが紙押え錘３２に当接しており、下部にねじ３３ｂが設けられており、支持板３１にボルト３３ｃで固定したナット材３３ｄ、押え板３３ｅに螺合して上下動が可能に構成されている。この荷重調整ねじ軸３３の上部には、ポールプランジャー式の高さ調節機構３３ｆが形成されている。さらに荷重調整ねじ軸３３の上端にはつまみ３３ｇが形成されていて、左右に回転することによって紙押え錘３２とナット材３３ｄとの間に設けられたばね３４を圧縮し、または張設して、枚葉紙Ｐに対する紙押え荷重を調節するものである。この場合、ばね３４を交換することが容易であり、交換によって荷重調整の幅をさらに広くすることができる。
止めねじ３５はブラケット３１ａを支持軸２５に止める止めねじであり、抜け落ち防止ストッパー３６は紙押え錘３２の抜け落ちを防止する。
【００２１】
以上の構成によって、さばき２１、吹き足２２、板ばね２３及びブラシ２４などを用いて、積層された枚葉紙Ｐから最上部の１枚を分離する機構で、つまみ３３ｇを回転させることによって、支持軸２５の両端に設けられた紙押え錘３２の荷重を調整して紙ずれなどを防ぐことができるので、枚葉紙Ｐを印刷機に安定して給送することができる。
【００２２】
そうして、紙質、紙厚などの異なる枚葉紙Ｐに印刷を行なう場合に、その枚葉紙Ｐに応じた荷重調整が容易に実現可能となる効果がある。
さらに、この実施の形態では、紙押え錘３２の枚葉紙Ｐに対する高さ調整機構を、ポールプランジャー式の高さ調節機構３３ｆによって形成したので、ワンタッチで高さ調節が可能になる。これにより積載した枚葉紙Ｐを交換する際に、高さの調整が短時間で可能になるという効果が生まれる。
【産業上の利用可能性】
【００２３】
本発明の給紙装置は、以上のように構成しているので、枚葉紙Ｐを分離してフィーダーボードに正しく給送することができ、見当不良に起因する印刷不良などを解決して、確実に印刷することができるので、枚葉印刷機の給紙装置として広く用いることができ、枚葉印刷を行なう印刷業界で広範に利用される可能性を有している。
【図面の簡単な説明】
【００２４】
【図１】本発明の給紙装置の正面図である。
【図２】本発明の給紙装置の吸引給送手段の側面断面図である。
【図３】本発明の給紙装置の分離手段の各要素の側面断面図である。
【図４】本発明の給紙装置の紙押え手段の正面図である。
【図５】本発明の給紙装置の紙押え手段の断面側面図である。
【符号の説明】
【００２５】
１      吸引給送手段
２      分離手段
３      紙押え手段
１１    サッカーヘッド本体
１２    第１吸口
１３    第２吸口
１４    紙押え
２１    さばき
２２    吹き足
２３    板ばね
２４    ブラシ
２５    支持軸
３１    支持板
３１ａ  ブラケット
３２    紙押え錘
３２ａ  押え板
３２ｂ  ボルト
３３    荷重調整ねじ軸
３３ａ  ねじ軸下端
３３ｂ  ねじ
３３ｃ  ボルト
３３ｄ  ナット材
３３ｅ  押え板
３３ｆ  高さ調整機構
３３ｇ  つまみ
３４    ばね
３５    止めねじ
３６    抜け落ち防止ストッパー
P       枚葉紙
【図１】
0004521375.tif 000002
【図２】
0004521375.tif 000003
【図３】
0004521375.tif 000004
【図４】
0004521375.tif 000005
【図５】
0004521375.tif 000006